(57)【要約】【課題】  組み付け時および取り外し時の作業をいずれも容易に行うことができる電気回路ユニットと電気接続箱との着脱方法および着脱構造を提供する。【解決手段】  各種電気部品が取り付けられると共に当該電気部品に電気的に接続されるワイヤハーネス６が接続されている電気回路ユニット５と、電気回路ユニット５がカセット式に組み付けられる電気接続箱２と、の着脱構造１は、電気接続箱２が、当該電気接続箱２への電気回路ユニット５の組み付け方向の前後に開口する収容部４を有しており、電気回路ユニット５が、電気接続箱２に組み付けられた際にワイヤハーネス６が導出される側の開口から収容部４に挿着され、収容部４に挿着された電気回路ユニット５を挿着側とは反対側の開口から抜挿可能に係止する係止手段を備えている。【選択図】        図１
2006180598.tif 000002
【特許請求の範囲】
【請求項１】
各種電気部品が取り付けられると共に当該電気部品に電気的に接続されるワイヤハーネスが接続されている電気回路ユニットと、当該電気回路ユニットがカセット式に組み付けられる電気接続箱と、の着脱方法であって、
前記電気接続箱に、当該電気接続箱への前記電気回路ユニットの組み付け方向の前後に開口する収容部を設け、
前記電気回路ユニットを、前記電気接続箱に組み付けられた際に前記ワイヤハーネスが導出される側の開口から前記収容部内に挿着し、
前記収容部内に挿着された電気回路ユニットを、挿着側とは反対側の開口から抜挿することを特徴とする電気回路ユニットと電気接続箱との着脱方法。
【請求項２】
各種電気部品が取り付けられると共に当該電気部品に電気的に接続されるワイヤハーネスが接続されている電気回路ユニットと、当該電気回路ユニットがカセット式に組み付けられる電気接続箱と、の着脱構造であって、
前記電気接続箱が、当該電気接続箱への前記電気回路ユニットの組み付け方向の前後に開口する収容部を有しており、
前記電気回路ユニットが、前記電気接続箱に組み付けられた際に前記ワイヤハーネスが導出される側の開口から前記収容部に挿着され、
前記収容部に挿着された電気回路ユニットを挿着側とは反対側の開口から抜挿可能に係止する係止手段を備えていることを特徴とする電気回路ユニットと電気接続箱との着脱構造。
【発明の詳細な説明】
【技術分野】
【０００１】
本発明は、各種電気部品が取り付けられると共に当該電気部品に電気的に接続されるワイヤハーネスが接続されている電気回路ユニットと、当該電気回路ユニットがカセット式に組み付けられる電気接続箱との着脱方法および着脱構造に関する。
【背景技術】
【０００２】
従来、自動車等の車両に搭載される電気接続箱は、ヒューズやリレーなどの各種電気部品が取り付けられる複数の取付部を一体的に備え、これら複数の取付部にそれぞれ取り付けられた電気部品および当該電気部品を互いに接続するように電気接続箱内に配索されたバスバーにより所定の回路を形成し、当該回路に電気的に接続されて電気接続箱から導出されたワイヤハーネスを介して車両各部の、例えば点火系、照明系、電子燃料噴射系などのシステムに接続されていた。
【０００３】
しかし、上記構成の電気接続箱では、電気部品がそれぞれ取り付けられる複数の取付部が一体的に設けられているため、例えばヒューズやリレーの個数に増減があると電気接続箱自体に変更が必要となり、また、バスバーの配索も変更する必要があるため、仕様変更に容易に対応できない問題があった。そこで、各種電気部品を取り付けられたユニットをカセット式に着脱するようにした電気接続箱が知られている（例えば、特許文献１参照。）。
【０００４】
特許文献１に開示されている車載用電気接続箱１００は、図１１に示すように、主電源回路を構成するバスバー１０１を内蔵した主電源ブロック１０２と、前記主電源回路から分岐して、例えば点火系、照明系、電子燃料噴射系などの車両システムに接続される各種分岐回路をそれぞれ内蔵した小型電源ブロック１０３ａ〜ｃと、を備えており、これら小型電源ブロック１０３ａ〜ｃは、主電源ブロック１０２のケース１０４に区画して設けられた嵌合部１０５ａ〜ｃにそれぞれ嵌合し、電気接続箱１００に着脱可能に組み付けられるようになっている。
【０００５】
小型電源ブロック１０３ａ〜ｃは、必要なヒューズキャビティ１０６やリレーキャビティ１０７を備え、これらヒューズキャビティ１０６やリレーキャビティ１０７に取り付けられたヒューズやリレーを互いに電気的に接続して所定の分岐回路を形成する分岐バスバーを内部に収納しており、当該分岐バスバーには、主電源ブロック１０２の前記主電源回路に接続される接続端子が設けられている。また、小型電源ブロック１０３ａ〜ｃにはワイヤハーネス結合用のコネクタ装着部１０８がそれぞれ設けられている。
【０００６】
この電気接続箱１００を組み立てるに際しては、アンダーケース１０９に主電源ブロック１０２を収納し、主電源ブロック１０２のケース１０４の上側から小型電源ブロック１０３ａ〜ｃを嵌合部１０５ａ〜ｃに挿着すると、小型電源ブロック１０３ａ〜ｃの前記接続端子が主電源ブロック１０２の前記主電源回路に接続されると共に、コネクタ装着部１０８が、主電源ブロック１０２のケース１０４およびアンダーケース１０９の整合する位置にそれぞれ設けられた窓１１０，１１１を通して、アンダーケース１０９の下側に露出し、露出したコネクタ装着部１０８にワイヤハーネスが接続され、必要に応じて防水カバー１１２が被せられる。
【０００７】
また、特許文献１に開示されている他の車載用電気接続箱２００は、図１２に示すように、小型電源ブロック１０３ａ〜ｃのコネクタ装着部１０８にワイヤハーネスＷａ〜ｃが予め接続され、小型電源ブロック１０３ａ〜ｃは、主電源ブロック１０２のケース１０４の下側から嵌合部１０５ａ〜ｃに挿着されるようになっており、また、主電源ブロック１０２の前記主電源回路から導出された電線１１３により当該主電源回路と電気的に接続される。そして、一般的には、小型電源ブロック１０３ａ〜ｃが嵌合部１０５ａ〜ｃから脱落することを防止するためにケース１０４の下側は不図示のロアカバーにより塞がれる。
【特許文献１】特開平１−２１２６４１号公報（第２−３頁、第１，５図）
【発明の開示】
【発明が解決しようとする課題】
【０００８】
上記の電気接続箱１００においては、小型電源ブロック１０３ａ〜ｃは、ケース１０４の上側から嵌合部１０５ａ〜ｃに挿着され、嵌合部１０５ａ〜ｃからケース１０４の上側に抜脱されて、電気接続箱１００に着脱される構成となっている。この場合、電気接続箱１００に小型電源ブロック１０３ａ〜ｃを組み付ける際に、上述のように小型電源ブロック１０３ａ〜ｃを嵌合部１０５ａ〜ｃに挿着した後に小型電源ブロック１０３ａ〜ｃのコネクタ装着部１０８にケース１０４の下側からワイヤハーネスを接続するため、小型電源ブロック１０３ａ〜ｃに接続されるまでは複数のワイヤハーネスが纏まりなく存在してしまい、作業が複雑となる虞があった。また、ワイヤハーネスをケース１０４の上側に一旦引き出して小型電源ブロック１０３ａ〜ｃのコネクタ装着部１０８に接続した後に小型電源ブロック１０３ａ〜ｃを嵌合部１０５ａ〜ｃに挿着することも考えられるが、ワイヤハーネスを一旦引き出す必要があるため、やはり作業が複雑となる虞があった。
【０００９】
また、上記の電気接続箱２００においては、小型電源ブロック１０３ａ〜ｃは、ケース１０４の下側から嵌合部１０５ａ〜ｃに挿着される構成となっており、このような構成において一般的には、小型電源ブロック１０３ａ〜ｃは、嵌合部１０５ａ〜ｃからケース１０４の下側に抜脱されて、電気接続箱２００に着脱されるようになっている。この場合、例えばメンテナンスなどで電気接続箱２００から小型電源ブロック１０３ａ〜ｃを取り外す際に、ケース１０４の下側を塞いでいるロアカバーを取り外す必要があると共に、電気接続箱２００においてワイヤハーネスが導出されている側での作業となるため、作業が複雑となる虞があった。
【００１０】
このように、各種電気部品が取り付けられると共に当該電気部品に電気的に接続されるワイヤハーネスが接続されている電気回路ユニット（上記の小型電源ブロック１０３ａ〜ｃなど）がカセット式に組み付けられる従来の電気接続箱においては、電気回路ユニットを電気接続箱の片側から組み付け、同一側に取り外す構成であるため、組み付け時または取り外し時のいずれかに複雑な作業を伴う虞があった。
【００１１】
本発明は、上述した課題に鑑みてなされたものであり、その目的は、組み付け時および取り外し時の作業をいずれも容易に行うことができる電気回路ユニットと電気接続箱との着脱方法および着脱構造を提供することにある。
【課題を解決するための手段】
【００１２】
上述した目的を達成するために、本発明に係る電気回路ユニットと電気接続箱との着脱方法は、各種電気部品が取り付けられると共に当該電気部品に電気的に接続されるワイヤハーネスが接続されている電気回路ユニットと、当該電気回路ユニットがカセット式に組み付けられる電気接続箱と、の着脱方法であって、前記電気接続箱に、当該電気接続箱への前記電気回路ユニットの組み付け方向の前後に開口する収容部を設け、前記電気回路ユニットを、前記電気接続箱に組み付けられた際に前記ワイヤハーネスが導出される側の開口から前記収容部内に挿着し、前記収容部内に挿着された電気回路ユニットを、挿着側とは反対側の開口から抜挿することを特徴としている。
【００１３】
また、上述した目的を達成するために、本発明に係る電気回路ユニットと電気接続箱との着脱構造は、各種電気部品が取り付けられると共に当該電気部品に電気的に接続されるワイヤハーネスが接続されている電気回路ユニットと、当該電気回路ユニットがカセット式に組み付けられる電気接続箱と、の着脱構造であって、前記電気接続箱が、当該電気接続箱への前記電気回路ユニットの組み付け方向の前後に開口する収容部を有しており、前記電気回路ユニットが、前記電気接続箱に組み付けられた際に前記ワイヤハーネスが導出される側の開口から前記収容部に挿着され、前記収容部に挿着された電気回路ユニットを挿着側とは反対側の開口から抜挿可能に係止する係止手段を備えていることを特徴としている。
【発明の効果】
【００１４】
上記のように構成された電気回路ユニットと電気接続箱との着脱方法および着脱構造によれば、電気回路ユニットを電気接続箱に組み付ける際に、ワイヤハーネスが導出される側の開口から収容部に挿着されるので、予めワイヤハーネスを電気回路ユニットに接続した上で当該電気回路ユニットを電気接続箱に組み付けることができ、従来のように複数のワイヤハーネスが纏まりなく存在してしまうことがなく、また、ワイヤハーネスを一旦引き出す必要もないので、電気回路ユニットを電気接続箱に組み付ける作業が容易となる。
【００１５】
そして、収容部に収容された電気回路ユニットを挿着側とは反対側の開口から抜挿することができるので、例えばメンテナンスなどで電気回路ユニットを電気接続箱から取り外し、再度、電気接続箱に組み付ける際には、電気接続箱のワイヤハーネスが密集している側での作業を回避することができ、その作業が容易となる。
【発明を実施するための最良の形態】
【００１６】
以下、本発明に係る好適な実施形態を図面に基づいて詳細に説明する。
【００１７】
図１は本発明の電気回路ユニットと電気接続箱との着脱方法が適用される電気回路ユニットと電気接続箱との着脱構造の一実施形態を示す分解斜視図、図２は図１に示す電気回路ユニットが電気接続箱に装着された状態での平面図、図３は図２におけるIII-III矢視断面図、図４は図２におけるIV-IV矢視断面図であって電気回路ユニットを電気接続箱の収容部に挿着する過程を示す断面図、図５は図２におけるV-V矢視断面図であって電気回路ユニットを電気接続箱の収容部に挿着する過程を示す断面図、図６は図２にVI-VI矢視断面図であって電気回路ユニットを電気接続箱の収容部から抜脱する過程を示す断面図、図７は図３における点線円VIIで囲まれた領域の要部断面図であって電気回路ユニットを電気接続箱の収容部から抜脱する過程を示す断面図、図８は図４における点線円VIIIで囲まれた領域の要部拡大断面図、図９は図６における点線円IXで囲まれた領域の要部拡大断面図、図１０は図７における点線円Xで囲まれた領域の要部拡大断面図である。
【００１８】
図１〜図３に示されるように、本実施形態の電気回路ユニットと電気接続箱との着脱構造１は、電気接続箱２と、この電気接続箱２にカセット式に組み付けられる電気回路ユニット５とを備えている。電気接続箱２は合成樹脂製のハウジング３を備え、このハウジング３には、上述した従来の電気接続箱１００と同様に主電源回路が設けられている。そして電気回路ユニット５には、例えば車両各部の点火系、照明系、電子燃料噴射系などの車両システムおよびハウジング３に設けられている前記主電源回路にワイヤハーネス６を介して接続される分岐回路が設けられている。
【００１９】
電気回路ユニット５は合成樹脂製の略直方体状のケース８を備えており、このケース８の図１中上端部の内部には、ケース８の上端面に開口し前記分岐回路に必要なリレーやヒューズ等の電気部品を取り付けるための複数の取付孔１１が設けられている。また、ケース８の下端部の内部には、ケース８の下端面に開口すると共に各取付孔１１にそれぞれ連通し、ワイヤハーネス６のコネクタ７に設けられた複数の接続部７ａが挿入される複数の挿入孔１２が設けられている。
【００２０】
取付孔１１に取り付けられた電気部品（不図示）のリード端子は、挿入孔１２内に突出し、挿入孔１２に挿入された接続部７ａの内部に収納されているワイヤハーネス６の各電線６ａの接続端子（不図示）に接続される。また、ケース８の上端面はカバー９により覆われている。
【００２１】
電気接続箱２のハウジング３には電気回路ユニット５を収容する収容部４が一体成形されており、この収容部４は、電気回路ユニット５の外側形状に略対応した略直方体状の内側形状をもって上下（即ち、電気接続箱２への電気回路ユニット５の組み付け方向の前後）に開口した枠状に形成されている。電気回路ユニット５は、収容部４の前記開口から上下方向に収容部４内に挿入されて、電気接続箱２に組み付けられる。
【００２２】
図２に示される平面視において長辺を含む収容部４の一対の内側面には、長手方向の一方の端部において上下方向に伸びるの一組のガイドリブ１３と、長手方向の中央部において上下方向に伸びるガイドリブ１５がそれぞれ突設されている。また、電気回路ユニット５が収容部４内に収容された際に収容部４のガイドリブ１３，１５が設けられた一対の内側面にそれぞれ相対する電気回路ユニット５のケース８の外側面には、収容部４のガイドリブ１３にそれぞれ係合するガイドリブ１４、および収容部４のガイドリブ１５にそれぞれ係合するガイドリブ１６が突設されている。
【００２３】
これらのガイドリブ１３〜１６は、互いに係合して、電気回路ユニット５が収容部４内に挿入される際には電気回路ユニット５を上下方向に案内すると共に、電気回路ユニット５が収容部４内に挿入された際には電気回路ユニット５が収容部４内でガタつくことがないように電気回路ユニット５を支持する。
【００２４】
図２および図４に示されるように、収容部４の長辺を含む前記一対の内側面には、ガイドリブ１３とガイドリブ１５との間に弾性を有する係止片１７がそれぞれ突設されている。この弾性係止片１７は、収容部４の一方の内側面に接続し、対向する他方の内側面に向かって突出している基端部１７ａと、基端部１７ａから略直角に屈曲し、基端部１７ａが接続している収容部４の内側面と隙間をおいて上方向に伸びる先端部１７ｂとを有しており、図８に示されるように、基端部１７ａが接続している収容部４の内側面に先端部１７ｂの突端が接近するように、主に屈曲部において弾性変形可能とされている。また、先端部１７ｂの突端には、対向する他方の内側面に向かってさらに突出している係止部１７ｃが設けられており、この係止部１７ｃの下端面は対向する他方の内側面に向かうに従って上方向に傾斜して形成されている。
【００２５】
そして、電気回路ユニット５が収容部４内に収容された際に収容部４の弾性係止片１７が設けられた内側面に相対する電気回路ユニット５のケース８の外側面には、弾性係止片１７の先端部１７ｂの突端に設けられた係止部１７ｃに上側から係合する係合凸部１８が設けられており、この係合凸部１８の上端面は係止部１７ｃの傾斜した下端面と略同一角度に傾斜して形成されている。
【００２６】
図２および図５に示されるように、収容部４の長辺を含む前記一対の内側面の一方には、ガイドリブ１５を挟んで係止片１７とは反対側に、弾性を有する係止片１９が突設されている。この弾性係止片１９は、収容部４の一方の内側面に接続され、対向する他方の内側面に向かって突出している基端部１９ａと、基端部１９ａから略直角に屈曲し、基端部１９ａが接続されている収容部４の内側面と隙間をもって上方向に伸びる先端部１９ｂとを有しており、基端部１９ａが接続されている収容部４の内側面に先端部１９ｂの突端が接近するように、主に屈曲部において弾性変形可能とされている。先端部１９ｂの突端には、対向する他方の内側面に向かってさらに突出している係止部１９ｃが設けられており、この係止部１９ｃの下端面は、対向する他方の内側面に向かうに従って上方向に傾斜して形成されている。
【００２７】
そして、電気回路ユニット５が収容部４内に収容された際に収容部４の弾性係止片１９が設けられた内側面に相対する電気回路ユニット５のケース８の外側面には、弾性係止片１９の先端部１９ｂの突端に設けられた係止部１９ｃに上側から係合する係合凸部２０が設けられており、この係合凸部２０の上端面は、係止部１９ｃの傾斜した下端面と略同一角度に傾斜して形成されている。
【００２８】
図２および図６に示されるように、収容部４の長辺を含む前記一対の内側面には、一組のガイドリブ１３の間に、対向する他方の内側面に向かって突出している係合凸部２１がそれぞれ設けられており、この係合凸部２１の上端面は、対向する他方の内側面に向かうに従って下方向に傾斜して形成されている。
【００２９】
そして、電気回路ユニット５が収容部４内に収容された際に収容部４の係合凸部２１が設けられた内側面に相対する電気回路ユニット５のケース８の外側面には、収容部４の係合凸部２１に下側から係合する弾性係止片２２が設けられている。この弾性係止片２２は、ケース８の外側面に接続され、相対する収容部４の内側面に向かって突出している基端部２２ａと、基端部２２ａから略直角に屈曲し、基端部２２ａが接続されているケース８の外側面と隙間をもって上方向に伸びる先端部２２ｂとを有しており、図９に示されるように、基端部２２ａが接続されているケース８の外側面に先端部２２ｂの突端が接近するように、主に屈曲部において弾性変形可能とされている。先端部２２ｂの突端には、相対する収容部４の内側面に向かってさらに突出している係止部２２ｃが設けられており、この係止部２２の下端面は、収容部４の係合凸部２１の傾斜した上端面と略同一角度に傾斜して形成されている。
【００３０】
また、図２に示される平面視において短辺を含む収容部４の一対の内側面のうち係合凸部２２とは離間した内側面には、図２，図３および図７に示されるように、弾性を有する係止片２３が突設されている。この弾性係止片２３は、収容部４の一方の内側面に接続され、対向する他方の内側面に向かって突出している基端部２３ａと、基端部２３ａから略直角に屈曲し、基端部２３ａが接続されている内側面と隙間をもって下方向に伸びる先端部２３ｂとを有しており、図１０に示されるように、基端部２３ａが接続されている収容部４の内側面に先端部２３ｂの突端が接近するように、主に屈曲部において弾性変形可能とされている。先端部２３ｂの突端には、対向する他方の内側面に向かってさらに突出している係止部２３ｃが設けられており、この係止部２３ｃの上端面は、対向する他方の内側面に向かうに従って下方向に傾斜して形成されている。
【００３１】
そして、電気回路ユニット５が収容部４内に収容された際に弾性係止片２３が設けられた収容部４の内側面に相対する電気回路ユニット５のケース８の外側面には、弾性係止片２３の先端部２３ｂの突端に設けられた係止部２３ｃに下側から係合する係合段部２４が設けられている。
【００３２】
かかる構成の電気回路ユニット５と電気接続箱２との着脱構造１において、電気回路ユニット５は、図１に示されるように、電気回路ユニット５の下端部に接続されているワイヤハーネス６が導出される側となる収容部４の下側の開口から収容部４内に挿着される。
【００３３】
具体的には図４および図５に示されるように、電気回路ユニット５が収容部４の下側の開口から収容部４内に挿入されるに伴って、電気回路ユニット５の外側面に設けられた係合凸部１８，２０が、その上端面において、収容部４の内側面に設けられた対応する弾性係止片１７，１９の係止部１７ｃ，１９ｃの下端面に当接する。このとき、弾性係止片１７，１９の係止部１７ｃ，１９ｃの下端面は上述のとおり傾斜して形成されているので、弾性係止片１７，１９は接続している収容部４の内側面に先端部１７ｂ，１９ｂの突端が接近するように弾性変形し、これにより、電気回路ユニット５の進入が許容される。
【００３４】
そして、電気回路ユニット５が収容部４内に完全に挿入されると、係合凸部１８，２０は、弾性係止片１７，１９の係止部１７ｃ，１９ｃを乗り越え、弾性変形から復帰した弾性係止片１７，１９の係止部１７ｃ，１９ｃに上側から係合し、これにより、電気回路ユニット５は収容部４の下側の開口からの脱抜を阻止される。また、このとき、図６および図７に示されるように、電気回路ユニット５の外側面に設けられた弾性係止片２２の先端係止部２２ｃが収容部４の内側面に設けられた係合凸部２１に下側から係合し、同時に、電気回路ユニット５の外側面に設けられた係合段部２４が収容部４の内側面に設けられた弾性係止片２３の係止部２３ｃに下側から係合し、これにより、電気回路ユニット５は収容部４の上側の開口からの脱抜も阻止される。
【００３５】
収容部４内に収容された電気回路ユニット５を電気接続箱２から取り外すに際しては、例えば収容部４の上側の開口から電気回路ユニット５の外側面と収容部４の内側面との間に治具が挿入され、収容部４の係合凸部２１に下側から係合している電気回路ユニット５の弾性係止片２２の係合状態が解除されると共に、収容部４の内側面に設けられた弾性係止片２３の係止部２３ｃに下側から係合している電気回路ユニット５の係合段部２４の係合状態が解除された状態で、電気回路ユニット５が収容部４の上側の開口から抜脱される。
【００３６】
そして、収容部４の上側の開口から抜脱されて電気接続箱２から取り外された電気回路ユニット５を、再度電気接続箱２に組み付けるに際しては、電気回路ユニット５は、収容部４の上側の開口から収容部４に挿入される。
【００３７】
具体的には図６および図７に示されるように、電気回路ユニット５が収容部４の上側の開口から収容部４内に挿入されるに伴って、電気回路ユニット５の外側面に設けられた弾性係止片２２の係止部２２ｃが、その下端面において、収容部４の内側面に設けられた対応する係合凸部２１の上端面に当接し、また、電気回路ユニット５の下端縁が、収容部４の内側面に設けられた弾性係止片２３の係止部２３ｃの上端面に当接する。このとき、電気回路ユニット５の外側面に設けられた弾性係止片２２の係止部２２ｃの下端面、および収容部４の内側面に設けられた弾性係止片２３の係止部２３ｃの上端面は、上述のとおりそれぞれ傾斜して形成されているので、弾性係止片２２は接続している電気回路ユニット５の外側面に先端部２２ｂの突端が接近するように弾性変形し、弾性係止片２３は接続している収容部４の内側面に先端部２３ｂの突端が接近するように弾性変形し、これにより、電気回路ユニット５の進入が許容される。
【００３８】
そして、電気回路ユニット５が収容部４内に完全に挿入されると、電気回路ユニット５の外側面に設けられた弾性係止片２２の先端係止部２２ｃが収容部４の内側面に設けられた係合凸部２１に下側から係合し、同時に、電気回路ユニット５の外側面に設けられた係合段部２４が収容部４の内側面に設けられた弾性係止片２３の係止部２３ｃに下側から係合し、これにより、電気回路ユニット５は収容部４の上側の開口からの脱抜も阻止される。また、このとき、電気回路ユニット５の外側面に設けられた係合凸部１８，２０が、収容部４の内側面に設けられた弾性係止片１７，１９の係止部１７ｃ，１９ｃに上側から係合し、これにより、電気回路ユニット５は収容部４の下側の開口からの脱抜を阻止される。
【００３９】
上述のように本実施形態の電気回路ユニット５と電気接続箱２との着脱方法および着脱構造１によれば、電気回路ユニット５を電気接続箱２に組み付ける際に、ワイヤハーネス６が導出される下側の開口から収容部４に挿着されるので、予めワイヤハーネス６を電気回路ユニット５に接続した上で当該電気回路ユニット５を電気接続箱２に組み付けることができ、従来のように複数のワイヤハーネスが纏まりなく存在してしまうことがなく、また、ワイヤハーネスを一旦引き出す必要もないので、電気回路ユニット５を電気接続箱２に組み付ける作業が容易となる。
【００４０】
そして、収容部４に収容された電気回路ユニット５を上側（即ち、挿着側とは反対側）の開口から抜挿することができるので、例えばメンテナンスなどで電気回路ユニット５を電気接続箱２から取り外し、再度、電気接続箱２に組み付ける際には、電気接続箱２のワイヤハーネス６が密集している下側での作業を回避することができ、その作業が容易となる。
【００４１】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００４２】
例えば、収容部４に挿着された電気回路ユニット５を挿着側とは反対側の開口から抜挿可能に係止する係止手段を構成している弾性係止片１７，１９，２２，２３、および対応する係合凸部１８，２０，２１、並びに係合段部２４の配置箇所、数は任意であり、上述した実施形態に限定されるものではない。
【図面の簡単な説明】
【００４３】
【図１】本発明の電気回路ユニットと電気接続箱との着脱方法が適用される電気回路ユニットと電気接続箱との着脱構造の一実施形態を示す分解斜視図である。
【図２】図１に示す電気回路ユニットが電気接続箱に装着された状態での平面図である。
【図３】図２におけるIII-III矢視断面図である。
【図４】図２におけるIV-IV矢視断面図であって電気回路ユニットを電気接続箱の収容部に挿着する過程を示す断面図である。
【図５】図２におけるV-V矢視断面図であって電気回路ユニットを電気接続箱の収容部に挿着する過程を示す断面図である。
【図６】図２にVI-VI矢視断面図であって電気回路ユニットを電気接続箱の収容部から抜脱する過程を示す断面図である。
【図７】図３における点線円VIIで囲まれた領域の要部断面図であって電気回路ユニットを電気接続箱の収容部から抜脱する過程を示す断面図である。
【図８】図４における点線円VIIIで囲まれた領域の要部拡大断面図である。
【図９】図６における点線円IXで囲まれた領域の要部拡大断面図である。
【図１０】図７における点線円Xで囲まれた領域の要部拡大断面図である。
【図１１】従来の電気接続箱の分解斜視図である。
【図１２】従来の他の電気接続箱の分解斜視図である。
【符号の説明】
【００４４】
１  着脱構造
２  電気接続箱
３  ハウジング
４  収容部
５  電気回路ユニット
６  ワイヤハーネス
８  ケース
１１  取付孔
１７，１９，２２，２３  弾性係止片（係止手段）
１８，２０，２１  係合凸部（係止手段）
２４  係合段部（係止手段）
【図１】
2006180598.tif 000003
【図２】
2006180598.tif 000004
【図３】
2006180598.tif 000005
【図４】
2006180598.tif 000006
【図５】
2006180598.tif 000007
【図６】
2006180598.tif 000008
【図７】
2006180598.tif 000009
【図８】
2006180598.tif 000010
【図９】
2006180598.tif 000011
【図１０】
2006180598.tif 000012
【図１１】
2006180598.tif 000013
【図１２】
2006180598.tif 000014